(57)【特許請求の範囲】
【請求項１】
組込型シートベルトを有するシートにおけるシートベルトガイド装置であって、
前記組込型シートベルトを有するシートのマルチピース式背もたれ（１）の旋回軸（５）の上方にある少なくとも１つの上シートベルトガイド部材（６）と、
前記組込型シートベルトを有するシートのマルチピース式背もたれ（１）の旋回軸（５）の下方にある少なくとも１つの下シートベルトガイド部材（７）と、を備え、
少なくとも１つのシートベルトガイド部材（６、７）は、シートベルト進行方向に沿って互いに距離をおいてオフセット配置された３つの部分を有し、外側の部分はシートベルト（２）の一面側に配置可能であり、外側の部分の間にある部分はシートベルト（２）の他面側に配置可能であり、
前記シートベルトガイド部材（６、７）は、マルチピース式背もたれ（１）の調整時にシートベルト（２）の挟み込みを防止し、シートベルト進行方向に沿って、妨げのない移動を可能とすることを特徴とするシートベルトガイド装置。
【請求項２】
少なくとも１つのシートベルトガイド部材（６、７）は、前記組込型シートベルトを有するシートのシート内部支持構造部（８）の一部品であることを特徴とする請求項１に記載のシートベルトガイド装置。
【請求項３】
少なくとも１つのシートベルトガイド部材（６、７）は、シート内部腰支持部（８）の一部品の屈曲された延長部であることを特徴とする請求項１または２に記載のシートベルトガイド装置。
【請求項４】
少なくとも１つのシートベルトガイド部材（６、７）は、金属ワイヤを含む金属により構成されることを特徴とする請求項１〜３のいずか１以上に記載のシートベルトガイド装置。
【請求項５】
少なくとも１つのシートベルトガイド部材（６、７）は、シートベルト（２）をガイドするための少なくとも２つのシートベルトガイド部を両側に有することを特徴とする請求項１〜４のいずか１以上に記載のシートベルトガイド装置。
【請求項６】
シートベルトガイド部材（６、７）の前記シートベルトガイド部は、シートベルト進行方向に対して、直角を含むある角度で進むことを特徴とする請求項１〜５のいずか１以上に記載のシートベルトガイド装置。
【請求項７】
シートベルトガイド部材（６、７）のいくつかのシートベルトガイド部は、シートベルト進行方向において互いに距離をおいて配置されることを特徴とする請求項１〜６のいずか１以上に記載のシートベルトガイド装置。
【請求項８】
シートベルト（２）の両側に配置可能なシートベルトガイド部を有する少なくとも１つのシートベルトガイド部材（６、７）は、これらガイド部を連結してシートベルト（２）の横滑りを防止するサイドエッジを有することを特徴とする請求項１〜７のいずか１以上に記載のシートベルトガイド装置。
【請求項９】
自動車用の組込型シートベルトを有するシートであって、
旋回軸（５）を中心に旋回可能な組込型シートベルトを有するマルチピース式背もたれ（１）と、
前記組込型シートベルトを有する背もたれ内部に少なくとも部分的に進入するシートベルト（２）と、
請求項１〜８のいずれか１以上に記載のシートベルトガイド装置と、を備えることを特徴とするシート。
【発明の詳細な説明】
【技術分野】
【０００１】
本発明は、組込型シートベルトを有するシートにおけるシートベルトガイド装置であって、組込型シートベルトを有するシートのマルチピース式背もたれの旋回軸の上方にある少なくとも１つの上シートベルトガイド部材と、組込型シートベルトを有するシートのマルチピース式背もたれの旋回軸の下方にある少なくとも１つの下シートベルトガイド部材とを備えるシートベルトガイド装置、および、自動車用の組込型シートベルトを有するシートに関する。
【背景技術】
【０００２】
組込型シートベルトを有するシートは、特にコンバーチブルや商用車に用いられているが、従来技術によれば多数のデザインのものが知られている。このようなシートベルトの場合、ベルトがシート内部に部分的に進入し、シートベルトの自動巻き取り装置がシートフレームの底部に固定されているのが一般的である。そして、シートベルトは背もたれの内部を上方に進み、背もたれから背もたれ上部の前面側に出てくる。
【０００３】
快適性を高めるために、既知の組込型シートベルトを有するシートとしては、背もたれ表面の曲率を変更する装置を備え、このため、背もたれがマルチピース式で設計されて、各背もたれ部分の相互の角度を調整することが可能なものがある。
【０００４】
背もたれが取りうる全ての方向においてベルトの自由移動を確保するには、調整可能な背もたれ内部のシートベルトガイド装置が必要である。そうでないと、背もたれの内部で、背もたれのシート内部支持構造部と、背もたれ前面の外側パッドまたは背もたれ背面の外側カバーとの間にシートベルトが挟み込まれるおそれがある。この機能を確保するため、本質的に安定した可撓性プラスチックチャネルを用いて、背もたれ内部でベルトをガイドすることが既に知られている。しかし、これは非常に高価で、設置も複雑である。
【発明の概要】
【発明が解決しようとする課題】
【０００５】
本発明の目的は、容易に設置できる経済的な装置であって、組込型シートベルトを有するシートの背もたれ内部において信頼性のあるシートベルトガイドを単純な方法で確保し、背もたれ内部の調整時にシートベルトの挟み込みを防止する装置を提供することである。
【課題を解決するための手段】
【０００６】
上述の目的は、本発明によれば、請求項１に記載のシートベルトガイド、および、請求項１０に記載の組込型シートベルトを有するシートによって達成される。また、本発明の他の有利な実施形態については従属請求項にて特定する。
【０００７】
本発明に係る組込型シートベルトを有するシートにおけるシートベルトガイド装置は、少なくとも２つのシートベルトガイド部材を有し、シートベルトガイド部材のうちの少なくとも１つは、マルチピース式背もたれの旋回軸の上方に位置し、少なくとも１つの他のシートベルトガイド部材は、前記マルチピース式背もたれの旋回軸の下方に配置される。ここでの説明および以下の説明において、「上方」や「下方」といった特定事項は、車両における組込型シートベルトを有するシートの設置位置に対するものである。組込型シートベルトを有するシートにおけるシートベルトガイド部材の配置については、旋回軸の領域での背もたれ調整時のベルトの挟み込み、特に、合板、段ボール、プラスチック板等、本質的に安定した可撓性材料で構成できる背もたれの前面パッド表面や背もたれ背面のカバー、または、フレーム構造部の一部、シート支柱、腰支持部等、背もたれの内部部品によるベルトの挟み込みを防止するとともに、背もたれの上部分と下部分が相互にどのように配置されていても確実なベルトガイドが可能となるように、シートベルトガイド部材の配置が選択される。
【０００８】
一般に、シートベルトガイド部材の製造には、いかなる材料を使用することもできる。したがって、例えば、プラスチックまたは複合材料によりシートベルトガイド部材を製造することも可能である。なお、本発明のシートベルトガイドの有利な一実施形態によれば、少なくとも１つのシートベルトガイド部材を金属、好ましくは金属ワイヤにより構成することで、製造における高い費用効果と簡単な設置が可能となる。さらに、金属ワイヤを使用することで単純な成形が可能となり、特に費用効果が高い方法で所定形状のシートベルトガイド部材を製造することができる。
【０００９】
本発明の特に有利な一実施形態において、組込型シートベルトを有するシートのシート内部支持構造部の部品を成形することにより、少なくとも１つのシートベルトガイド部材を形成する。よって、好ましくは、金属ワイヤからなるシート内部腰支持部の伸長部を屈曲することにより、シートベルトガイド部材を形成する。このようにして、費用効果の高いベルトガイドが有利に得られる。既存の部品、あるいは、これらの部品の伸長部を屈曲することによって単純に形成すればよいので、別部品の設置が不要である。
【００１０】
さらに、中空スペースの屈曲、変形、伸長、延長または成形を行うことにより、シートベルトガイド部材を、背もたれのシート支柱、シートスプリングまたは他の部品として設計することもできる。よって、シート内部支持構造部における１つの部品、あるいは、このような種々の部品のいくつかによって、シートベルトガイド部材を形成することができる。
【００１１】
本発明の他の有利な実施形態において、少なくとも１つのシートベルトガイド部材は、シートベルト両面のガイドを行うための少なくとも２つのシートベルトガイド部を有する。これにより、旋回軸を有するマルチピース式背もたれの全ての方向において、組込型シートベルトを有するシート内でのシートベルトの挟み込みが単純な方法で防止される。
【００１２】
シートベルトガイド部材の各シートベルトガイド部は、好ましくは、シートベルトの進行方向に対して、ある角度で進み、特に好ましく直角に進む。これにより、シートベルトがシートベルトガイド部材から横方向に滑り落ちる危険性が、特に信頼性のある方法で低減される。
【００１３】
本発明の特に好ましい実施形態において、シートベルトガイド部材におけるいくつかのシートベルトガイド部が、シートベルトの進行方向に互いに距離をおいて配置される。シートベルトガイド部材において、２つの対向するシートベルトガイド部をベルトの両面に対向配置した実施形態も可能である。
【００１４】
さらに、本発明の有利な一実施形態によれば、シートベルトの両面に配置可能なシートベルトガイド部を有する少なくとも１つのシートベルトガイド部材は、ガイド部を連結して、シートベルトの横滑りを防止するサイドエッジを有する。これにより、特に精密なベルトガイドが達成され、使用時のシートベルトガイド部材からのシートベルトの滑り落ちが単純な方法で防止される。
【００１５】
特に好ましくは、少なくとも１つのシートベルトガイド部材は、シートベルト進行方向に沿って互いに距離をおいて配置された３つのシートベルトガイド部を有し、外側のガイド部は、シートベルトの一面側に配置可能であり、外側のガイド部の間にあるガイド部は、シートベルトの他面側に配置可能である。外側のガイド部とは、シートベルト進行方向にて互いに距離をおいて配置されたシートベルトガイド部の配置において、互いの距離が最も長い配置のシートベルトガイド部材の２つのガイド部であると考える。この設計の特に有利な形態として、シートベルトガイド部材を、組込型シートベルトを有するシートの単一部品により形成し、両側端にてシートベルトをさらに取り囲むように成形することによって製造する。これにより、シートベルトガイド装置からベルトが滑り落ちることがなくなり、特に有利である。
【００１６】
本発明に係る組込型シートベルトを有するシートの有利な一実施形態において、シートベルトガイド部材が、背もたれのフレーム部材に直接連結される。さらに、組込型シートベルトを有するシートのいくつかの実施形態として、シートベルトガイド部材を、まず、シート構造体の別の部分に、あるいは、背もたれのパッドおよびカバー材料に対してのみ連結する構成も可能である。
【００１７】
さらに、本発明は、旋回軸を中心に旋回可能なマルチパーツ式背もたれと、組込型シートベルトを有するシートの背もたれ内部に少なくとも部分的に進入するシートベルトと、上述の本発明に係るシートベルトガイド装置と、を備えた自動車用の組込型シートベルトを有するシートに関する。
【００１８】
本発明に係るシートベルトガイドでは、設置の手間が既知の装置と比較して大幅に低減され、組込型シートベルトを有するシートの製造および設置コストが大きく低減される。このことは従来技術に対して有利である。
【００１９】
組込型シートベルトを有するシートの他の可能な実施形態において、妨げのないシートベルトガイドを確保するために、組込型シートベルトを有するシートのシートベルトガイド部が必要となるのはシートベルトの一面側のみとするように、シートベルトガイド部材を配置する。例えば、組込型シートベルトを有するシートにおける、特にシートベルトガイド用に成形されているわけではない他の部品が、シートベルトの他面側に配置される場合や、シートベルトの一面側でシート内部に他の部品との距離が十分にある場合に、このように構成する。
【００２０】
本発明の例示的な一実施例について、以下、図面を参照して詳細に説明する。各図は以下の内容を示す。
【図面の簡単な説明】
【００２１】
【図１】組込型シートベルトを有する二部式背もたれの各側に上下のシートベルトガイド部材を備えた、組込型シートベルトを有する背もたれの背面図である。
【図２】図１の組込型シートベルトを有する背もたれを部分的に示す第１の斜視図である。
【図３】図１の組込型シートベルトを有する背もたれを部分的に示す第２の斜視図である。
【図４】図１の組込型シートベルトを有する背もたれを部分的に示す第３の斜視図である。
【発明を実施するための形態】
【００２２】
図１の背面図に示す組込型シートベルトを有する背もたれ１は、車両における組込型シートベルトを有するシート（ここでは図示省略）の設置位置に対して、垂直方向に上下に配置された２つの背もたれ部３、４により構成されている。上背もたれ部３は、下背もたれ部４に対して旋回軸５を中心に旋回することができる。
【００２３】
組込型シートベルトを有する背もたれ１の下部領域に、シートベルト２の自動巻き取り装置９が配置されている。シートベルトは、組込型シートベルトを有する背もたれ１内部で上方に進み、組込型シートベルトを有する背もたれ１の上端にあるシートベルト出口１０から前面側に出てくる。
【００２４】
旋回軸５の上方で上背もたれ部３の領域に上シートベルトガイド部材６が配置されている。この上シートベルトガイド部材６は、シートベルト２に対して、ある角度で進むいくつかのシートベルトガイド部を有している。
【００２５】
図１に示すシートベルトガイド装置の例示的な実施形態の場合、上シートベルトガイド部材６は、上背もたれ部３に取り付けられた金属製腰支持部８の一部から屈曲することにより形成されており、シートベルト２に対してほぼ直角に進む合計３つのシートベルトガイド部により構成されている。３つのシートベルトガイド部はすべて、組込型シートベルトを有するシートの設置位置に対して、垂直方向に互いに距離をおいて上下に配置され、かつ、シートベルト２の進行に沿って互いに相対的に配置されている。３つのガイド部のうち、最も上にあるガイド部と最も下にあるガイド部は、シートベルト２の、組込型シートベルトを有する背もたれ１の前面に対向する面側に配置されている。また、これら２つのシートベルトガイド部の間にある上シートベルトガイド部材６の第３の部分は、シートベルト２の、組込型シートベルトを有する背もたれ１の背面に対向する面側に配置されている（図２〜図４参照）。
【００２６】
上シートベルトガイド部材６は、１つのワークピースを複数箇所で屈曲させることにより形成されている。このため、図２〜図４においてシートベルトガイド部材６の本実施形態をそれぞれ異なる方向から示す各斜視図から特に明確にわかるように、シートベルトガイド部材６がシートベルトと平行に、シートベルトの一方の面から他方の面に交互に進んで、組込型シートベルトを有する背もたれ１内部でのシートベルトの横滑りや、シートベルトガイド部材６からの滑り落ちを防止する２つの領域が、シートベルト２の両面上を進む上シートベルトガイド部材６の３つのシートベルトガイド部の間に配置されている。なお、図２〜図４は、図１の組込型シートベルトを有するシートを部分的に示すものである。
【００２７】
下シートベルトガイド部材７は、ベルト２の異なる面側に配置される２つの部分により構成されており、旋回軸５の下方で下背もたれ部４の領域に配置されている。これら２つの部分は、車両における組込型シートベルトを有するシートの設置位置に対して、互いに対向してシートベルト進行方向に同じ高さに配置されている。
【００２８】
下シートベルトガイド部材７も、シート内部支持構造部８の一部として、この金属製部品を複数箇所で屈曲することにより形成されている。ここでも、図２〜図４において異なる方向から詳細に示すように、シートベルトガイド部材７は、シートベルト２の、組込型シートベルトを有する背もたれ１の外端に対向する面側にてシートベルト２まわりをガイドすることにより、下背もたれ部４のフレーム方向へのシートベルトの横滑りを防止する。
【００２９】
シートベルト２の、組込型シートベルトを有する背もたれ１の前面に対向する面は、シートベルトガイド部材７によってではなく、シートベルトガイド部材７が連結されたシート内部支持構造部８によってガイドされる。
【００３０】
なお、シートベルトガイド部を２つ以上有する下シートベルトガイド部材７の実施形態も可能である。よって、シートベルトガイド部材７において、いくつかのシートベルトガイド部が、シートベルトの進行に沿って、互いにオフセットあるいは互いに直接対向しているという形態も考えられる。
【符号の説明】
【００３１】
１  組込型シートベルトを有する背もたれ
２  シートベルト
３  上背もたれ部
４  下背もたれ部
５  旋回軸
６  上シートベルトガイド部材
７  下シートベルトガイド部材
８  シート内部支持構造部
９  自動巻き取り装置
１０  シートベルト出口
【図１】
0005873189.tif 000002
【図２】
0005873189.tif 000003
【図３】
0005873189.tif 000004
【図４】
0005873189.tif 000005